(57)【要約】【課題】  簡単な構成であって、且つ、広いスペースを要することなく所望の吸音効果を得ることが可能なクリックアクション付き接点バネとその製造方法を提供すること。【解決手段】  クリックアクション付き接点バネ本体と、上記クリックアクション付き接点バネ本体の表面に貼り付けられたシート材と、を具備したもの。又、その製造方法は、まず、金属材料の表面に高分子フィルムをラミネート加工として巻き取り、次いで、上記巻き取った材料に連続プレス加工を施すことによりクリックアクション付き接点バネを得るようにしたものである。【選択図】  図１
2008243763.tif 000002
【特許請求の範囲】
【請求項１】
クリックアクション付き接点バネ本体と、上記クリックアクション付き接点バネ本体の表面に貼り付けられたシート材と、を具備したことを特徴とするクリックアクション付き接点バネ。
【請求項２】
請求項１記載のクリックアクション付き接点バネにおいて、
上記シート材は高分子フィルム製であることを特徴とするクリックアクション付き接点ばね。
【請求項３】
請求項２記載のクリックアクション付き接点バネにおいて、
上記高分子フィルムは低減させたい周波数に応じてその厚さ、硬さ、密度、分子量を決定されているものであることを特徴とするクリックアクション付き接点ばね。
【請求項４】
まず、金属材料の表面に高分子フィルムをラミネート加工して巻き取り、次いで、上記巻き取った材料に連続プレス加工を施すことによりクリックアクション付き接点バネを得るようにしたことを特徴とするクリックアクション付き接点バネの製造方法。
【発明の詳細な説明】
【技術分野】
【０００１】
本発明は、例えば、オーディオ機器、ビデオ機器、通信機器、測定機器等の各種電気機器や電子機器において使用されるスイッチの部品であるクリックアシクョン付き接点バネとその製造方法に係り、特に、クリックアクション時に発生する甲高い金属音を効果的に吸収することができるように工夫したものに関する。
【背景技術】
【０００２】
クリックアクション付き接点バネの構成を開示するものとして、例えば、特許文献１、特許文献２等がある。
【特許文献１】特開２００５−８５５６５号公報
【特許文献２】特開２００５−２６１２９号公報
【発明の開示】
【発明が解決しようとする課題】
【０００３】
上記従来の構成によると次のような問題があった。すなわち、クリックアクション付き接点バネの場合には、クリックアクション動作時に板ばね状の接点材が反転することになり、その際、甲高い金属音が発生してしまう。一方、スイッチの使用場所によっては動作音を発生させたくない箇所もあり、そのような場合には、密閉構造とすることにより上記金属音の漏れを防ぐようにしたり、或いは、クリックアクション付き接点バネの上部にスポンジ材からなる吸音材を粘着テープによって貼り付けるような構成が採用されていた。
しかしながら、昨今、機器の小型化・薄型化が要求されており、上記したような密閉構造や吸音材の設置が困難になってしまうという問題があった。又、コスト的にも好ましい構造ではなかった。
【０００４】
本発明はこのような点に基づいてなされたものでその目的とするところは、簡単な構成であって、且つ、広いスペースを要することなく所望の吸音効果を得ることが可能なクリックアクション付き接点バネとその製造方法を提供することにある。
【課題を解決するための手段】
【０００５】
上記課題を解決するべく本願発明の請求項１によるクリックアクション付き接点バネは、クリックアクション付き接点バネ本体と、上記クリックアクション付き接点バネ本体の表面に貼り付けられたシート材と、を具備したことを特徴とするものである。
又、請求項２によるクリックアクション付き接点バネは、請求項１記載のクリックアクション付き接点バネにおいて、上記シート材は高分子フィルム製であることを特徴とするものである。
又、請求項３によるクリックアクション付き接点バネは、請求項２記載のクリックアクション付き接点バネにおいて、上記高分子フィルムは低減させたい周波数に応じてその厚さ、硬さ、密度、分子量を決定されているものであることを特徴とするものである。
又、請求項４によるクリックアクション付き接点バネの製造方法は、まず、金属材料の表面に高分子フィルムをラミネート加工して巻き取り、次いで、上記巻き取った材料に連続プレス加工を施すことによりクリックアクション付き接点バネを得るようにしたことを特徴とするものである。
【発明の効果】
【０００６】
以上述べたように本願発明の請求項１によるクリックアクション付き接点バネは、クリックアクション付き接点バネ本体と、上記クリックアクション付き接点バネ本体の表面に貼り付けられたシート材と、を具備した構成になっているので、まず、シート材を貼り付けたことによりクリックアクション動作時に板ばね状の接点材が反転することにより発生する甲高い金属音を効果的に吸収することができる。又、シート材を貼り付けただけの構成であるので、構成も簡単であって大きなスペースを要することもないので、機器の小型化・薄型化に効果的に対応することができる。又、コスト的にも好都合である。
又、高分子フィルムは低減させたい周波数に応じてその厚さ、硬さ、密度、分子量を決定するようにした場合には、様々な周波数の音の吸音に対応することができる。
又、請求項４によるクリックアクション付き接点バネの製造方法は、まず、金属材料の表面に高分子フィルムをラミネート加工して巻き取り、次いで、上記巻き取った材料に連続プレス加工を施すことによりクリックアクション付き接点バネを得るようにしたものであり、簡単な方法によって所望の構成をなすクリックアクション付き接点バネを得ることができる。
【発明を実施するための最良の形態】
【０００７】
以下、図１及び図２を参照して本発明の一実施の形態を説明する。図１は本実施の形態によるクリックアクション付き接点ばね１の構成を示す図であり、このクリックアクション付き接点ばね１は、クリックアクション付き接点ばね本体３と、このクリックアクション付き接点ばね本体３の表面に貼り付けられたシート材５とから構成されている。
【０００８】
上記クリックアクション付き接点ばね本体３はステンレス（ＳＵＳ）鋼製であり、図１に示すように、略ドーム形状になっている。上記シート材５は高分子フィルム材から構成されていて、上記クリックアクション付き接点ばね本体３の表面に貼り付けられている。このようなシート材５を貼り付けることにより甲高い金属音を吸収しようとするものである。又、上記高分子フィルム材は、低減させたい周波数に応じてその厚さ、硬さ、密度、分子量を決定されているものである
【０００９】
上記シート材５のクリックアクション付き接点ばね本体３への貼り付けは次のような手順によって行われる。すなわち、図２に示すように、まず、ステンレス（ＳＵＳ）鋼製の板材１１がロール状に巻き取られた状態で設置されている。一方、高分子フィルム材１３がロール状に巻き取られた状態で設置されている。そして、上記高分子フィルム材１３を上記板材１１にラミネート加工により貼り付けて、高分子フィルム１３が板材１１に貼り付けられた素材１５を得る。この素材１５がロール状に巻き取られる。後は、その素材１５に連続プレス加工を施すことにより、図１に示すようなクリックアクション付き接点ばね１を得るものである。
【００１０】
以上本実施の形態によると次のような効果を奏することができる。
まず、高分子フィルム製のシート材５を貼り付けた構成になっているので、クリックアクション動作時に板ばね状の接点材が反転することにより発生する甲高い金属音を効果的に吸収することができる。
又、単に高分子フィルム製のシート材５を貼り付けただけの構成であるので、構成も簡単であって大きなスペースを要することもないので、機器の小型化・薄型化に効果的に対応することができる。
又、コスト的にも好都合である。
【００１１】
尚、本発明は前記一実施の形態に限定されるものではない。
例えば、クリックアクション付き接点ばね本体の材質としてはステンレス（ＳＵＳ）鋼に限定されるものではなく、例えば、リン青銅等であってもよい。
【産業上の利用可能性】
【００１２】
本発明は、例えば、オーディオ機器、ビデオ機器、通信機器、測定機器等の各種電気機器や電子機器において使用されるスイッチの部品であるクリックアシクョン付き接点バネとその製造方法に係り、特に、クリックアクション時に発生する甲高い金属音を効果的に吸収することができるように工夫したものに関し、例えば、携帯電話用のスイッチに使用されるクリックアシクョン付き接点バネに好適である。
【図面の簡単な説明】
【００１３】
【図１】本発明の一実施の形態を示す図で、クリックアシクョン付き接点バネの構成を示す断面図である。
【図２】本発明の一実施の形態を示す図で、クリックアシクョン付き接点バネの製造法補の一部を示す図である。
【符号の説明】
【００１４】
１  クリックアシクョン付き接点バネ
３  クリックアシクョン付き接点バネ本体
５  シート材
１１  板材
１３  高分子フィルム材
１５  素材
【図１】
2008243763.tif 000003
【図２】
2008243763.tif 000004